(57)【要約】【課題】表示装置上のカーソルを制御できる制御装置を提供する。【解決手段】載置体１３０、カバー１２０、検知モジュール１４０と位置決め構造１５０を含み、載置体上に穿設させられるカバーは載置体上でロールやスライドを行う。定義される載置体中の収納空間１３１にはカバーのロールやスライドを検知する検知モジュールを収納できる。位置決め構造は載置体の一側に位置する位置決め部材１５１、載置体に接続されると共に位置決め部材上に設けられる連動部材１５３を含み、載置体が位置決め部材に対して第一垂直変位を行うとき、連動部材は第一垂直変位に対応して第二垂直変位を同期して発生させる。【選択図】図２
0003174253.tif 000002
【実用新案登録請求の範囲】
【請求項１】
電子装置のカーソル動作を制御させるために用いられる制御装置であって、
収納空間を定義する載置体と、
前記載置体上に穿設され、前記載置体上でのロールやスライドを行うカバーと、
前記収納空間に設けられ、前記カバーのロールとスライドを検知する検知モジュールと、
前記載置体の一側に位置する位置決め部材を含み、前記載置体に接続されると共に、前記位置決め部材上の連動部材に設けられる位置決め構造を含み、
前記載置体が前記位置決め部材に対して第一垂直変位を行うとき、前記連動部材は前記第一垂直変位に対応して第二垂直変位を同期して発生させることを特徴とする、制御装置。
【請求項２】
前記載置体はさらに前記カバーを覆う透光領域や、くり抜き領域を含み、前記透光領域や前記くり抜き領域は前記検知モジュールに対応することを特徴とする、請求項１に記載の制御装置。
【請求項３】
前記カバーは硬質体か可撓性体であり、
前記カバーが前記硬質体である場合、前記載置体はさらに前記検知モジュールを固定させる載置座と、前記載置座に穿設され、少なくとも前記連動部材の一部と結合される単一の把持部を含むか、或いは、
前記カバーが前記硬質体である場合、前記載置体はさらに前記検知モジュールを固定させる載置座と、前記載置座に穿設され、少なくとも前記連動部材の一部と結合される一セット式の把持部を含むか、或いは、
前記カバーが前記硬質体である場合、前記カバーの材料は網状の編んだ布、不織布、プラスチック、ゴムや、皮のいずれか一つであるか、或いは、
前記カバーが前記可撓性体である場合、前記カバーと穿設させられる前記載置体の断面は平面状、扇形状、円形状、楕円形状であり、或いは、
前記カバーが前記可撓性体である場合、前記カバーは前記カバーの外側面に分布される複数個の摩擦構造を含み、前記これらの摩擦構造が前記外側面上に分布される密度はほぼ同じであるか、或いは、
前記カバーが前記可撓性体である場合、前記カバーは複数の凹、凸点、エンボス、網点を含み、前記検知モジュールと向かい合う前記カバーの内側面上に分布されるか、或いは、
前記カバーは前記検知モジュールの内側面上と向かい合う少なくとも一つの感知構造を含み、前記検知モジュールは前記感知構造と前記検知モジュールの対応するロールか、対応するスライドの少なくともどちらか一つを検知することを特徴とする、請求項２に記載の制御装置。
【請求項４】
前記連動部材は押し部材を含み、前記制御装置は、基部と、前記基部に設けられると共に前記押し部材に対応する接触式感知装置を含み、前記位置決め部材は前記基部上に固定され、前記載置体が前記第一垂直変位を行うとき、前記押し部材は前記接触式感知装置と接触し、クリック制御信号を発生させるか、或いは、
基部と、前記基部に設けられると共に前記押し部材に対応する非接触式感知装置を含み、前記位置決め部材は前記基部上に固定され、前記載置体が前記第一垂直変位を行うとき、前記押し部材は前記第二垂直変位を行い、前記非接触式感知装置を干渉させ、クリック制御信号を発生させるか、或いは、
前記検知モジュールを搭載し、かつ、マイクロプロセッサーを有する前記回路モジュールを含み、前記検知モジュールは前記マイクロプロセッサーに信号接続され、前記検知モジュールはロール制御信号やスライド制御信号を発生させ、マイクロプロセッサーに与え、処理させるか、或いは、
基部と、前記基部に設けられると共に前記押し部材に対応するクリック信号感知装置と、前記基部に設けられる回路モジュールを含み、前記位置決め部材は前記基部上に固定され、前記載置体が前記第一垂直変位を行うとき、前記押し部材は前記第二垂直変位を行い、前記クリック信号感知装置と接触し、クリック制御信号を発生させ、前記回路モジュールに与えることを特徴とする、請求項１に記載の制御装置。
【請求項５】
前記位置決め部材は前記載置体と平行な位置決め軸を含み、前記連動部材はそれぞれ前記位置決め軸の両端に固定される延長による結合部と、前記位置決め軸に固定されると共に前記二つの延長による結合部の間を介す押し部材を含み、前記押し部材は前記第二垂直変位を行い、前記第二垂直変位は前記第一垂直変位より小さいか、或いは、
前記位置決め部材は前記載置体と平行な位置決め軸を含み、前記連動部材はそれぞれ前記位置決め軸の両端に固定される延長による結合部と、少なくとも一つの前記延長による結合部に固定されると共に前記延長による結合部の一側に位置する押し部材を含み、前記押し部材は前記第二垂直変位を行い、前記第二垂直変位は前記第一垂直変位より小さいか、またはイコールか、或いは、
前記位置決め部材は前記載置体と垂直で、それぞれ前記載置体の端に設けられる二つの位置決め棒を含み、前記連動部材はどちらか一つの前記位置決め棒の両端に固定される延長による結合部を含み、前記延長による結合部は前記載置体の前記端に固定されることを特徴とする、請求項１に記載の制御装置。
【請求項６】
さらに、前記位置決め構造に設けられる基部と、前記基部上に設けられる回路モジュールと、前記回路モジュールに信号接続される周辺操作機能装置とを含み、前記周辺操作機能装置は無線か有線の方法で回路モジュールに信号接続される複数のキーと、３Ｄローラーのキーボード、タッチパネル、タッチ表示パネル、ハンドヘルドスキャナー、フィード式スキャナー、投影モジュール、カメラモジュール、工業用コンピュータかメインマシン、商業用コンピュータかメインマシン、医療用コンピュータかメインマシン、ハンドヘルド電子装置や、上述の少なくとも二つを組み合わせてなるものを含むことを特徴とする、請求項１に記載の制御装置。
【請求項７】
電子装置のカーソル動作を制御させるために用いられる制御装置であって、
収納空間を定義する載置体と、
前記載置体上に穿設され、前記載置体上でロールやスライドを行うカバーと、
前記収納空間に設けられ、前記カバーのロールとスライドを検知する検知モジュールと、
少なくとも一つの周辺操作機能装置を含む制御モジュールと、
前記検知モジュールと信号接続され、前記周辺操作機能装置と信号接続される回路モジュールと、
を含むことを特徴とする制御装置。
【請求項８】
前記載置体はさらに前記カバーを覆う透光領域や、くり抜き領域を含み、前記透光領域や前記くり抜き領域は前記検知モジュールに対応することを特徴とする、請求項７に記載の制御装置。
【請求項９】
前記カバーは硬質体か可撓性体であり、
前記カバーが前記硬質体である場合、前記載置体はさらに前記検知モジュールを固定させる載置座と、前記載置座上に穿設させられ、少なくとも前記連動部材の一部と結合される単一の把持部を含むか、或いは、
前記カバーが前記硬質体である場合、前記載置体はさらに前記検知モジュールを固定させる載置座と、前記載置座に穿設させられ、少なくとも前記連動部材の一部と結合される一セット式の把持部を含むか、或いは、
前記カバーが前記硬質体である場合、前記カバーの材料は網状の編んだ布、不織布、プラスチック、ゴムや、皮のいずれか一つであるか、或いは、
前記カバーが前記可撓性体である場合、前記カバーと穿設させられる前記載置体の断面は平面状、扇形状、円形状、楕円形状であるか、或いは、
前記カバーが前記可撓性体である場合、前記カバーは前記カバーの外側面に分布される複数個の摩擦構造を含み、前記これらの摩擦構造が前記外側面上に分布される密度はほぼ同じであるか、或いは、
前記カバーが前記可撓性体である場合、前記カバーは複数の凹、凸点、エンボス、網点を含み、前記検知モジュールと向かい合う前記カバーの内側面上に分布されるか、或いは、
前記カバーは前記検知モジュールの内側面上と向かい合う少なくとも一つの感知構造を含み、前記検知モジュールは前記感知構造と前記検知モジュールの対応するロールか、対応するスライドの少なくともどちらか一つを検知することを特徴とする、請求項８に記載の制御装置。
【請求項１０】
前記回路モジュールと前記周辺操作機能装置を結合させる基部を収納でき、前記周辺操作機能装置は前記基部から取り外された状況下で使用でき、前記周辺操作機能装置は、無線や有線の方法で回路モジュールに信号接続されるハンドヘルドスキャナー、フィード式スキャナー、投影モジュール、カメラモジュールを含み、少なくとも一つのキーと、３Ｄローラーのキーボードや、上述の一部か全部を組み合わせたものを含むか、或いは、
前記周辺操作機能装置と前記回路モジュールの基部を収納でき、前記周辺操作機能装置は無線か有線の方法で回路モジュールに信号接続されるタッチパネル、タッチ表示パネル、ハンドヘルドスキャナー、フィード式スキャナー、投影モジュール、カメラモジュールを含み、少なくとも一つのキーと、３Ｄローラーのキーボードや、上述の一部か全部を組み合わせたものを含むか、或いは、
前記周辺操作機能装置は無線か有線の方法で回路モジュールに信号接続されるハンドヘルドスキャナー、フィード式スキャナー、投影モジュール、カメラモジュール、工業用コンピュータかメインマシン、商業用コンピュータかメインマシン、医療用コンピュータかメインマシン、ハンドヘルド電子装置を含み、少なくとも一つのキーと、３Ｄローラーのキーボードや、上述の少なくとも二つを組み合わせてなるものを含むことを特徴とする、請求項7に記載の制御装置。
【請求項１１】
さらに、前記載置体の一側に位置され、前記載置体と接続されると共に前記位置決め部材上の連動部材に設けられる位置決め構造を含み、前記載置体が前記位置決め部材に対して第一垂直変位を行うとき、前記連動部材は前記第一垂直変位に対応して第二垂直変位を同期して発生させることを特徴とする、請求項７に記載の制御装置。
【請求項１２】
前記位置決め構造を含むとき、前記連動部材は押し部材を含み、前記制御装置は、基部と、前記基部に設けられると共に前記押し部材に対応する接触式感知装置を含み、前記位置決め部材は前記基部上に固定され、前記載置体が前記第一垂直変位を行うとき、前記押し部材は前記接触式感知装置と接触し、クリック制御信号を発生させ、前記回路モジュールに与えるか、或いは、
基部と、前記基部に設けられると共に前記押し部材に対応する非接触式感知装置を含み、前記位置決め部材は前記基部上に固定され、前記載置体が前記第一垂直変位を行うとき、前記押し部材は前記第二垂直変位を行い、前記非接触感知装置を干渉させ、クリック制御信号を発生させ、前記回路モジュールに与えるか、或いは、
基部と、前記基部に設けられると共に前記押し部材に対応するクリック信号感知装置と、前記基部に設けられる前記回路モジュールを含み、前記位置決め部材は前記基部上に固定され、前記載置体が前記第一垂直変位を行うとき、前記押し部材は前記第二垂直変位を行い、前記クリック信号感知装置と接触し、クリック制御信号を発生させ、前記回路モジュールに与えることを特徴とする、請求項１１に記載の制御装置。
【請求項１３】
前記位置決め構造を含むとき、
前記位置決め部材は前記載置体と平行な位置決め軸を含み、前記連動部材はそれぞれ前記位置決め軸の両端に固定される延長による結合部と、前記位置決め軸に固定されると共に前記二つの延長による結合部の間を介す押し部材を含み、
前記押し部材は前記第二垂直変位を行い、前記第二垂直変位は前記第一垂直変位より小さいか、或いは、
前記位置決め部材は前記載置体と平行な位置決め軸を含み、前記連動部材はそれぞれ前記位置決め軸の両端に固定される延長による結合部と、少なくとも一つの前記延長による結合部に固定されると共に前記延長による結合部の一側に位置する押し部材を含み、前記押し部材は前記第二垂直変位を行い、前記第二垂直変位は前記第一垂直変位より小さいか、またはイコールか、或いは、
前記位置決め部材は前記載置体と垂直で、それぞれ前記載置体の末端に設けられる二つの位置決め棒を含み、前記連動部材はどちらか一つの前記位置決め棒の両端に固定される延長による結合部を含み、前記延長による結合部は前記載置体の前記末端に固定されることを特徴とする、請求項１１に記載の制御装置。
【請求項１４】
前記周辺操作機能装置は無線か有線の方法によって回路モジュールに信号接続させられるハンドヘルドスキャナー、フィード式スキャナー、投影モジュール、カメラモジュール、工業用コンピュータかメインマシン、商業用コンピュータかメインマシン、医療用コンピュータかメインマシン、ハンドヘルド電子装置を含み、少なくとも一つのキーと３Ｄローラーのキーボードや、上述の少なくとも二つを組み合わせてなるものを含むことを特徴とする、請求項７に記載の制御装置。
【請求項１５】
前記回路モジュールはマイクロプロセッサーを含み、前記検知モジュールは前記マイクロプロセッサーに信号接続され、前記検知モジュールはロール制御信号とスライド制御信号を発生させ、少なくともどちらか一つは前記マイクロプロセッサーに与えられ、処理されることを特徴とする、請求項７に記載の制御装置。
【請求項１６】
前記制御モジュールは少なくとも一つの力学的キー、タッチパネル、タッチ表示パネル、ローラー、非接触式パネルや表示パネルを含み、少なくとも一つのキーと３Ｄローラーのキーボードや、上述の一部か全部を組み合わせ、有線か無線の方法で接続される前記回路モジュールを含むことを特徴とする、請求項７に記載の制御装置。
【考案の詳細な説明】
【技術分野】
【０００１】
本考案は、制御装置に関し、より詳しくは、表示装置上のカーソルを制御できる制御装置に関する。
【背景技術】
【０００２】
科学技術の進歩と電子産業の急速な発展に伴い、様々な電子装置は人類の生活において欠かすことのできない一部となり、例えば、現在広く使われているコンピュータ、ノート型コンピュータ、タブレットコンピュータ、携帯電話、デジタルカメラなどがある。このうち、インターネットの普及に伴い、コンピュータ、タブレットコンピュータとノート型コンピュータは個人、家庭や仕事上で必要なツールとなっている。コンピュータを利用し、インターネットに接続し、ニュース、資料の検索、音楽鑑賞、映画の鑑賞、ゲーム娯楽などは、ほとんど現代人の生活形態の一つであり、インターネットを通して、友達とオンラインチャットを行う、ショートメッセージの送付、メールの送受信、オンラインショッピング、予約、費用の振り込みなど、消費行為はどれもコンピュータを通してインターネットに接続し達成される。
【０００３】
したがって、大部分のユーザーは毎日コンピュータと接触しており、マウス、キーボードなどの周辺設備によってコンピュータを操作しており、例えば、キーボードによってタイピング入力の動作を行う、或いは、マウスを操作することによってポインタを移動させ、プルダウン、ドラッグなどをさせる。マウスを使用する時、ユーザーの手の姿勢はほとんど手首を机の上に置いた後、手のひらでマウスを移動させており、マウスを制御することにより広範囲の移動をさせる時、手首を持ち上げ、腕を動かしてマウスを移動させる必要があり、長時間頻繁にマウスを使用した後、容易にマウスハンド（手根管症候群）の症状が引き起こされる。
【考案の概要】
【考案が解決しようとする課題】
【０００４】
しかしながら、この問題に対して、市場では手首用パッドが研究開発され、手首をやわらかいパッド上に置くようにさせ、これによりやわらげ、操作上の不適切性が改善される。しかし、この操作上では、手首を持ち上げてマウスを広範囲移動させる時、手首をパッドから引き離さなければならず、操作を同一の姿勢に維持させることを確保できない。さらに、個人の使用習慣は異なり、マウスを持ち上げ、置き直す動作をする必要があり、パッドの実用性は大幅に減少される。
【０００５】
したがって、いかにマウスを使用する上での欠点を解決させ、ユーザーが実際に操作する時、その手首を確実に置かせ、同時に片手や両手を利用し、マウスと同等の操作を行い、さらに、人体工学に符合した設計をするかが、この業界に従事するものが研究改善しようとする方向である。
【０００６】
本考案は、このような従来の問題に鑑みてなされたものである。上記課題解決のため、本考案は、ユーザーが手首をそのパッド上に置くとき、指によってカバーを押すことにより、カバーに載置体表面上で前後ロール、左右スライドの動作を行わせる制御装置を提供することを主目的とする。
【０００７】
また、本考案の別の目的は、位置決め構造を配備し、ユーザーが制御装置を操作する制御装置はカバーを有する載置体を穿設させ、制御装置の敏感度を考慮した状況下で、ユーザーが制御装置を操作することをより便利にさせることである。
【課題を解決するための手段】
【０００８】
上述した課題を解決し、目的を達成するために、好ましい実施形態では、本考案に係る制御装置は電子装置のカーソル動作を制御させるために用いられる制御装置であって、収納空間を定義する載置体と、前記載置体上に穿設され、前記載置体上でロールやスライドを行うカバーと、前記収納空間に設けられ、前記カバーのロールとスライドを検知する検知モジュールと、前記載置体の一側に位置する位置決め部材を含み、前記載置体に接続されると共に、前記位置決め部材上の連動部材に設けられる位置決め構造を含み、ここでは、前記載置体が前記位置決め部材に対して第一垂直変位を行うとき、前記連動部材は前記第一垂直変位に対して第二垂直変位を同期して発生させることを特徴とする。
【０００９】
好ましい実施形態では、前記載置体はさらに前記カバーを覆う透光領域や、くり抜き領域を含み、前記透光領域や前記くり抜き領域は前記検知モジュールに対応することを特徴とする。
【００１０】
好ましい実施形態では、前記カバーは硬質体か可撓性体であり、前記カバーが前記硬質体である場合、前記載置体はさらに前記検知モジュールを固定させる載置座と、前記載置座に穿設され、少なくとも前記連動部材の一部と結合される単一の把持部を含むか、或いは、前記カバーが前記硬質体である場合、前記載置体はさらに前記検知モジュールを固定させる載置座と、前記載置座に穿設され、少なくとも前記連動部材の一部と結合される一セット式の把持部を含むか、或いは、前記カバーが前記硬質体である場合、前記カバーの材料は網状の編んだ布、不織布、プラスチック、ゴムや、皮のいずれか一つであるか、或いは、前記カバーが可撓性体である場合、前記カバーと穿設させられる前記載置体の断面は平面状、扇形状、円形状、楕円形状であり、或いは、前記カバーが可撓性体である場合、前記カバーは前記カバーの外側面に分布される複数個の摩擦構造を含み、前記これらの摩擦構造が前記外側面上に分布される密度はほぼ同じであるか、或いは、前記カバーが可撓性体である場合、前記カバーは複数の凹、凸点、エンボスを含み、前記検知モジュールと向かい合う前記カバーの内側面上に網点分布されるか、或いは、前記カバーは前記検知モジュールの内側面上と向かい合う少なくとも一つの感知構造を含み、前記検知モジュールは前記感知構造と前記検知モジュールの対応するロールか、対応するスライドの少なくともどちらか一つを検知することを特徴とする。
【００１１】
好ましい実施形態では、前記連動部材は押し部材を含み、前記制御装置は、基部と、前記基部に設けられると共に前記押し部材に対応する接触式感知装置を含み、前記位置決め部材は前記基部上に固定され、ここでは、前記載置体が前記第一垂直変位を行うとき、前記押し部材は前記接触式感知装置と接触し、クリック制御信号を発生させるか、或いは、基部と前記基部に設けられると共に前記押し部材に対応する非接触式感知装置を含み、前記位置決め部材は前記基部上に固定され、ここでは、前記載置体が前記第一垂直変位を行うとき、前記押し部材は第二垂直変位を行い、前記非接触式感知装置を干渉させ、クリック制御信号を発生させるか、或いは、前記検知モジュールを搭載し、かつ、マイクロプロセッサーを有する前記回路モジュールを含み、ここでは、前記検知モジュールは前記マイクロプロセッサーに信号接続され、前記検知モジュールはロール制御信号やスライド制御信号を発生させ、マイクロプロセッサーに与え、処理させるか、或いは、基部と、基部に設けられると共に前記押し部材に対応するクリック信号感知装置と、前記基部に設けられる回路モジュールを含み、前記位置決め部材は前記基部上に固定され、ここでは、前記載置体が前記第一垂直変位を行うとき、前記押し部材は前記第二垂直変位を行い、前記クリック信号感知装置と接触し、クリック制御信号を発生させ、前記回路モジュールに与えることを特徴とする。
【００１２】
好ましい実施形態では、前記位置決め部材は前記載置体と平行な位置決め軸を含み、前記連動部材はそれぞれ前記位置決め軸の両端に固定される延長による結合部と、前記位置決め軸に固定されると共に前記二つの延長による結合部の間を介す押し部材を含み、前記押し部材は前記第二垂直変位を行い、前記第二垂直変位は前記第一垂直変位より小さいか、或いは、前記位置決め部材は前記載置体と平行な位置決め軸を含み、前記連動部材はそれぞれ前記位置決め軸の両端に固定される延長による結合部と、少なくとも一つの前記延長による結合部に固定されると共に前記延長による結合部の一側に位置する押し部材を含み、前記押し部材は前記第二垂直変位を行い、前記第二垂直変位は前記第一垂直変位より小さいか、またはイコールか、或いは、前記位置決め部材は前記載置体と垂直で、それぞれ前記載置体の端に設けられる二つの位置決め棒を含み、前記連動部材はどちらか一つの前記位置決め棒の両端に固定される延長による結合部を含み、ここでは、前記延長による結合部は前記載置体の前記端に固定されることを特徴とする。
【００１３】
好ましい実施形態では、さらに、前記位置決め構造に設けられる基部と、前記基部上に設けられる回路モジュールと、前記回路モジュールに信号接続される周辺操作機能装置とを含み、ここでは、前記周辺操作機能装置は無線か有線の方法で回路モジュールに信号接続される少なくとも一つのキーと、３Ｄローラーのキーボード、タッチパネル、タッチ表示パネル、ハンドヘルドスキャナー、フィード式スキャナー、投影モジュール、カメラモジュール、工業用コンピュータかメインマシン、商業用コンピュータかメインマシン、医療用コンピュータかメインマシン、ハンドヘルド電子装置や、上述の少なくとも二つを組み合わせてなるものを含むことを特徴とする。
【００１４】
好ましい実施形態では、電子装置のカーソル動作を制御させるために用いられる制御装置であって、収納空間を定義する載置体と、前記載置体上に穿設され、前記載置体上でロールやスライドを行うカバーと、前記収納空間に設けられ、前記カバーのロールとスライドを検知する検知モジュールと、少なくとも一つの周辺操作機能装置を含む制御モジュールと、前記検知モジュールと信号接続され、前記周辺操作機能装置と信号接続される回路モジュールと、を含むことを特徴とする。
【００１５】
好ましい実施形態では、前記載置体はさらに前記カバーを覆う透光領域や、くり抜き領域を含み、前記透光領域や前記くり抜き領域は前記検知モジュールに対応することを特徴とする。
【００１６】
好ましい実施形態では、前記カバーは硬質体か可撓性体であり、前記カバーが前記硬質体である場合、前記載置体はさらに前記検知モジュールを固定させる載置座と、前記載置座に穿設させられ、少なくとも前記連動部材の一部と結合される単一の把持部を含むか、或いは、前記カバーが前記硬質体である場合、前記載置体はさらに前記検知モジュールを固定させる載置座と、前記載置座に穿設させられ、少なくとも前記連動部材の一部と結合される一セット式の把持部を含むか、或いは、前記カバーが前記硬質体である場合、前記カバーの材料は網状の編んだ布、不織布、プラスチック、ゴムや、皮のいずれか一つであるか、或いは、前記カバーが可撓性体である場合、前記カバーと穿設させられる前記載置体の断面は平面状、扇形状、円形状、楕円形状であるか、或いは、前記カバーが可撓性体である場合、前記カバーは前記カバーの外側面に分布される複数個の摩擦構造を含み、前記これらの摩擦構造が前記外側面上に分布される密度はほぼ同じであるか、或いは、前記カバーが可撓性体である場合、前記カバーは複数の凹、凸点、エンボスを含み、前記検知モジュールと向かい合う前記カバーの内側面上に網点分布されるか、或いは、前記カバーは前記検知モジュールの内側面上と向かい合う少なくとも一つの感知構造を含み、前記検知モジュールは前記感知構造と前記検知モジュールの対応するロールか、対応するスライドの少なくともどちらか一つを検知することを特徴とする。
【００１７】
好ましい実施形態では、前記回路モジュールと前記周辺操作機能装置を結合させる基部を収納でき、前記周辺操作機能装置は前記基部から取り外された状況下で使用でき、前記周辺操作機能装置は、無線や有線の方法で回路モジュールに信号接続されるハンドヘルドスキャナー、フィード式スキャナー、投影モジュール、カメラモジュールや、上述の一部か全部を組み合わせたものを含むか、或いは、前記周辺操作機能装置と前記回路モジュールの基部を収納でき、前記周辺操作機能装置は無線か有線の方法で回路モジュールに信号接続されるタッチパネル、タッチ表示パネル、ハンドヘルドスキャナー、フィード式スキャナー、投影モジュール、カメラモジュールを含み、少なくとも一つのキーと、３Ｄローラーのキーボードや、上述の一部か全部を組み合わせたものを含むか、或いは、前記周辺操作機能装置は無線か有線の方法で回路モジュールに信号接続されるハンドヘルドスキャナー、フィード式スキャナー、投影モジュール、カメラモジュール、工業用コンピュータかメインマシン、商業用コンピュータかメインマシン、医療用コンピュータかメインマシン、ハンドヘルド電子装置や、上述の少なくとも二つを組み合わせてなるものを含むことを特徴とする。
【００１８】
好ましい実施形態では、さらに、前記載置体の一側に位置され、前記載置体と接続されると共に前記位置決め部材上の連動部材に設けられる位置決め構造を含み、ここでは、前記載置体が前記位置決め部材に対して第一垂直変位を行うとき、前記連動部材は前記第一垂直変位に対応して第二垂直変位を同期して発生させることを特徴とする。
【００１９】
好ましい実施形態では、前記位置決め構造を含むとき、前記連動部材は押し部材を含み、前記制御装置は、基部と、前記基部に設けられると共に前記押し部材に対応する接触式感知装置を含み、前記位置決め部材は前記基部上に固定され、ここでは、前記載置体が前記第一垂直変位を行うとき、前記押し部材は前記接触式感知装置と接触し、クリック制御信号を発生させ、前記回路モジュールに与えるか、或いは、基部と、前記基部に設けられると共に前記押し部材に対応する非接触式感知装置を含み、前記位置決め部材は前記基部上に固定され、ここでは、前記載置体が前記第一垂直変位を行うとき、前記押し部材は第二垂直変位を行い、前記非接触式感知装置を干渉させ、クリック制御信号を発生させ、前記回路モジュールに与えるか、或いは、基部と、基部に設けられると共に、前記押し部材に対応するクリック信号感知装置と、前記基部に設けられる前記回路モジュールを含み、前記位置決め部材は前記基部上に固定され、ここでは、前記載置体が前記第一垂直変位を行うとき、前記押し部材は前記第二垂直変位を行い、前記クリック信号感知装置と接触し、クリック制御信号を発生させ、前記回路モジュールに与えることを特徴とする。
【００２０】
好ましい実施形態では、前記位置決め構造を含むとき、前記位置決め部材は前記載置体と平行な位置決め軸を含み、前記連動部材はそれぞれ前記位置決め軸の両端に固定される延長による結合部と、前記位置決め軸に固定されると共に前記二つの延長による結合部の間を介す押し部材を含み、前記押し部材は前記第二垂直変位を行い、前記第二垂直変位は前記第一垂直変位より小さいか、或いは、前記位置決め部材は前記載置体と平行な位置決め軸を含み、前記連動部材はそれぞれ前記位置決め軸の両端に固定される延長による結合部と、少なくとも一つの前記延長による結合部に固定されると共に前記延長による結合部の一側に位置する押し部材を含み、前記押し部材は前記第二垂直変位を行い、前記第二垂直変位は前記第一垂直変位より小さいか、またはイコールか、或いは、前記位置決め部材は前記載置体と垂直で、それぞれ前記載置体の末端に設けられる二つの位置決め棒を含み、前記連動部材はどちらか一つの前記位置決め棒の両端に固定される延長による結合部を含み、ここでは、前記延長による結合部は前記載置体の前記末端に固定されることを特徴とする。
【００２１】
好ましい実施形態では、前記周辺機能操作装置は無線か有線の方法によって回路モジュールに信号接続させられるハンドヘルドスキャナー、フィード式スキャナー、投影モジュール、カメラモジュール、工業用コンピュータかメインマシン、商業用コンピュータかメインマシン、医療用コンピュータかメインマシン、ハンドヘルド電子装置を含み、少なくとも一つのキーと３Ｄローラーのキーボードや、上述の少なくとも二つを組み合わせてなるものを含むことを特徴とする。
【００２２】
好ましい実施形態では、前記回路モジュールはマイクロプロセッサーを含み、前記検知モジュールは前記マイクロプロセッサーに信号接続され、前記検知モジュールはロール制御信号とスライド制御信号を発生させ、少なくともどちらか一つは前記マイクロプロセッサーに与えられ、処理されることを特徴とする。
【００２３】
好ましい実施形態では、前記制御モジュールは少なくとも一つの力学的キー、タッチパネル、タッチ表示パネル、ローラー、非接触式パネルや表示パネルを含み、少なくとも一つのキーと３Ｄローラーのキーボードや、上述の一部か全部を組み合わせ、有線か無線の方法で信号接続される前記回路モジュールを含むことを特徴とする。
【考案の効果】
【００２４】
本考案によれば、ユーザーが実際に操作するとき、その手首を確実に置かせ、同時に片手や両手を利用し、マウスと同等の操作を行い、さらに、人体工学に符合する設計がなされたものが得られる。
【図面の簡単な説明】
【００２５】
【図１】本考案の第１実施形態に係る制御装置を示す斜視分解概略図である。
【図２】本考案の第１実施形態に係る制御装置の部分モジュールを示す傾斜分解概略図である。
【図３】本考案の第２実施形態に係る制御装置の部分モジュールを示す傾斜分解概略図である。
【図４】本考案の第３実施形態に係る制御装置を示す斜視分解概略図である。
【図５】本考案の第３実施形態に係る部分モジュールを示す傾斜分解概略図である。
【図６】本考案の第四実施形態に係る制御装置の載置体とカバーを示す側面概略図である。
【図７】本考案の第五実施形態に係る制御装置を示す斜視分解概略図である。
【図８】本考案の第五実施形態に係る制御装置の部分モジュールを示す傾斜分解概略図である。
【図９】本考案の第六実施形態に係る概略図である。
【図１０】本考案の第七実施形態に係る概略図である。
【図１１】本考案の第八実施形態に係る概略図である。
【図１２】本考案の第九実施形態の応用環境を示す斜視概略図である。
【図１３】本考案の第十実施形態の応用環境を示す斜視概略図である。
【考案を実施するための形態】
【００２６】
以下、本考案の実施形態を図面に基づいて説明する。なお、本考案は、以下に説明する実施形態に限定されるものではない。
【００２７】
本考案の実施形態に係る制御装置は本考案の制御装置中に収納できる。実施形態では、制御部材は制御装置の制御空間に収納され、露出する部分はユーザーが制御するために用いられる。
【００２８】
次に本考案の以下に記載する制御モジュール（ｃｏｎｔｒｏｌ  ｍｏｄｕｌｅ）は、本考案の制御装置に収納され、露出する部分はユーザーが制御するために用いられるため、制御部材に含まれる。制御モジュールを制御装置の制御空間中に収納させ、使用時に制御装置を制御空間から取り外すか、制御空間に置いたままにするかは選択でき、周辺操作機能装置はユーザーが制御するために用いられる。或いは、上述の周辺操作機能装置と制御装置は設備中で相互に組み合わせられる。
【００２９】
さらに、制御モジュールは本考案の制御装置の一部か全部の機能である。実施形態において、制御モジュールは一般のマウスの少なくとも一部の機能を請け負っており、例えば、表示装置上のカーソル移動、位置決め、クリックやロールを制御し、この時、制御モジュールと本考案の制御装置は共同で一般のマウスの機能を実践し、例えば、タッチパネル、ローラーや３Ｄローラーがある。制御モジュールが一般のマウス以外の機能、例えば、制御モジュールは一般キーボード上の数字キー、ホットキー、ファンクションキーや電源キーなどを請け負うかどうかは選択でき、この時、制御モジュールと本考案の制御装置は共同で一般キーボードとマウスの機能を実践する。制御モジュールは一般キーボード以外の機能を請け負い、周辺操作機能装置、例えば、無線か有線の方法に関わらず、制御装置に信号接続される、少なくとも一つのキーと、３Ｄローラーのキーボード、タッチパネル、タッチ表示パネル、ハンドヘルドスキャナー、フィード式スキャナー、投影モジュール、カメラモジュール、工業用コンピュータかメインマシン、商業用コンピュータかメインマシン、医療用コンピュータかメインマシン、ハンドヘルド電子装置や、上述の少なくとも二つを組み合わせてなるものを含む、となるかどうかは選択できる。
【００３０】
上述に基づけば、本考案の以下に述べる制御モジュールは、無線か有線の方法で、本考案の制御装置と信号接続され、本考案の制御装置によって、外界とコミュニケートしたり、信号接続したりする。本考案の制御装置と外界がコミュニケートする、或いは、信号接続する状況下において、制御モジュールの電気信号と制御装置本体の信号は自動的に切り替え交換する方法で外界と通信でき、或いは、手動で切り替える方法で外界と通信できるが、本考案はこの方法での本考案の制御装置と制御モジュールや周辺機能モジュールへの信号接続に限られない。
【００３１】
上述に基づけば、本考案の以下に述べる制御モジュールは、異なる機能に対応して、異なる形態を備える。実施形態では、制御モジュールはユーザーの押した外力を受け取り伝えるために用いられる少なくとも一つの力学的キーを含むか、少なくとも一つのキーと３Ｄローラーのキーボードを含む。選択できることとして、制御モジュールはユーザーのタッチ外力を受け取り伝えるために用いられるタッチ式インターフェース部材を含むことができ、例えば、タッチパネル、３Ｄローラーやローラーがある。また、選択できることとして、制御モジュールはユーザーの接近変化を感知するために用いられる感知式周辺操作モジュール、例えば、非接触式パネルや表示パネルを含めることができる。さらに選択できることとして、制御モジュールは周辺操作機能装置を含むことができ、ユーザーの平面移動の外力作動に基づき、例えば、スキャナーモジュールをユーザーに提供し、文書上で平面移動スキャンをする。
【００３２】
まず、本考案の制御装置の第１実施形態について説明する。
【００３３】
（第１実施形態）
本考案の第１実施形態の構成を図１から図２に示す。図１と図２はそれぞれ本考案の第１実施形態に係る制御装置を示す斜視分解概略図と部分モジュールを示す傾斜分解概略図である。図１を参照すると、制御装置１００はパッド１０１、飾り１０２、ケース１１０、カバー１２０、載置体１３０、検知モジュール１４０、位置決め構造１５０と基部１６０を含む。
【００３４】
ケース１１０は基部１６０上に固定され、ケース１１０と基部１６０の間には制御空間が形成され、その他モジュールを収納し、例えば、回路モジュール、制御モジュール（図示せず）や、接続インターフェース１６３があり、この後にもさらに続く。ケース１１０の表面には制御空間とつながるくり抜き部１１１、くり抜き部１１２、凹部１１３があり、ここでは、飾り１０２はくり抜き部１１１中に設けられ、パッド１０１は凹部１１３上に設けられる。飾り１０２はタッチパネル（図示せず）やローラーで代替させ、ユーザーが制御するために提供させることができるが、本考案はこれに限定されない。次に、くり抜き部１１２の左右両側にはそれぞれ収納溝１１４が凹設され、ここでは、収納溝１１４は載置体１３０を収納でき、くり抜き部１１２はカバー１２０から露出される。
【００３５】
カバー１２０は中空部分を有し、それぞれ載置体１３０上に穿設され、くり抜き部１１２上に露出され、ユーザーは載置体１３０上のカバー１２０を制御することでロールとスライドを行う。理解できることとして、載置体１３０はカバー１２０より長いルートを提供することにより、カバー１２０は載置体１３０上で載置体１３０に相対した移動を行う。カバー１２０は硬質体や可撓性体であり、カバー１２０が硬質体である場合、これは固定形状で載置体１３０に穿設される。また、カバー１２０が可撓性体である場合、その形状は載置体１３０に基づき調整される。第１実施形態では、カバー１２０は棒状硬質体であり、これは網状の編んだ布、不織布、プラスチック、ゴムや皮などの材質で製作される。これ以外に、カバーの外表面上にはさらにレーザー刻印を利用し、パッド印刷やエッチング着色などの加工方法により、図形や文字を明確にカバー１２０の外表面上に表示させることができる。また、カバー１２０はカバー１２０の両端に設けられ、載置体１３０と接する突合せ接続部１２１を有し、突合せ接続部１２１は滑りを支援する機能を有し、カバー１２０が載置体１３０上でスライドすることを支援する。
【００３６】
載置体１３０は単一の把持部１３４か一セット式の把持部を含む。第１実施形態では、単一の把持部１３４は円柱、楕円柱かその他カバー１２０に適するように穿設され、ロールとスライド移動をする形状であり、例を挙げるが、これに限定されず、ポリオキシメチレン（Ｐｏｌｙｏｘｙｍｅｔｈｙｌｅｎｅ，ＰＯＭ）、ポリテトラフルオロエチレン（Ｐｏｌｙｔｅｔｒａｆｌｕｏｒｏｅｔｈｙｌｅｎｅ，ＰＴＦＥ）、超高分子量ポリエチレン（Ｕｌｔｒａｈｉｇｈ  ｍｏｌｅｃｕｌａｒ  ｗｅｉｇｈｔ  ｐｏｌｙｅｔｈｙｌｅｎｅ，ＵＨＭＷＰＥ）やその他自己潤滑性の材料で製作される。載置体１３０は載置体１３０中の収納空間１３１を定義し、検知モジュール１４０を設けさせ、載置座１３３を利用して、検知モジュール１４０を搭載させることを提供する。次に、載置体１３０の単一の把持部１３４はくり抜き領域１３２を有し、検知モジュール１４０はくり抜き領域１３２上で露出され、くり抜き領域１３２は検知モジュール１４０と対応する。カバー１２０が載置体１３０上に穿設され、さらに載置体１３０が左右にスライドする時、カバー１２０は同時に載置体１３０のくり抜き領域１３２を被覆させる。中空棒の単一の把持部１３４の表面にはくり抜き領域１３２が製作されるか、形成される。選択できることとして、くり抜き領域１３２上を透明カバー（図示せず）で覆うか、透光材料で製作される透光領域によって単一の把持部１３４の一部か全部を製作するか、形成する。
【００３７】
したがって、載置体１３０がくり抜き領域１３２が透光領域を含む場合、検知モジュール１４０は一つか多数の光学式非接触式感知装置を採用し、カバー１２０のロールやスライドか、両方を検知し、ロール制御信号やスライド制御信号を発生させる。別に選択できることとして、載置体１３０がくり抜き領域１３２や透光領域を有さない場合、非光学式の非接触式感知装置を採用し、そのうち一つか多数の非接触式感知装置は載置体１３０が定義する収納空間１３１中に分布させられる。この状況下で、カバー１２０は非光学式の非接触式感知装置を搭載させるか、利用して、交互作用を発生させる感知構造や材料によって作製され、検知モジュール１４０はやはりカバー１２０のロールやスライドか、両方を検知し、ロール制御信号やスライド制御信号を発生させる。
【００３８】
次に回路モジュール１７０は載置体１３０の載置座１３３中に固定され、検知モジュール１４０を搭載し、ここでは、回路モジュール１７０はマイクロプロセッサー１７１をさらに含む。検知モジュール１４０が発生させるロール制御信号やスライド制御信号はマイクロプロセッサー１７１に与えられ、処理され、マイクロプロセッサー１７１はロール制御信号やスライド制御信号を処理した後、基部１６０上の接続インターフェース１６３に伝送させ、外界の電子装置のカーソル動作（図示せず）を出力制御させる。
【００３９】
さらに、位置決め構造１５０は位置決め部材１５１と、突合せ接続部１５４と延長による結合部１５２により組み合わせられる連動部材１５３を含む。位置決め部材１５１は棒であり、かつ、載置体１３０に平行になるよう基部１６０上に固定される位置決め軸であり、ここでは、位置決め部材１５１は載置体１３０の一側に位置され、例えば、前側か後ろ側であり、第１実施形態では、位置決め部材１５１は載置体１３０の前側に位置され、位置決め部材１５６は基部１６０上に固定される。位置決め部材１５１の両端はそれぞれ連動部材１５３の延長による結合部１５２に固定され、ここでは、連動部材１５３の延長による結合部１５２は載置体１３０へと延長され接続される。第１実施形態では、それぞれの延長による結合部１５２は突合せ接続部１５４によって、載置体１３０の一端に固定される。
【００４０】
また、基部１６０上の突合せ接続部１５４に対応する位置には、突合せ接続部１５４と当接する弾性部材１６１が固定設置され、載置体１３０が懸架状態で基部１６０上に懸架されるようにする。また、連動部材１５３はさらに位置決め部材１５１の棒上に固定されると共に、連動部材１５３の左側か右側、つまり、二つの延長による結合部１５２の間、に位置される押し部材１５５を含む。第１実施形態では、押し部材１５５は位置決め部材１５１と載置体１３０の間に設けられ、階段状の外形を有する。次に、クリック信号感知装置１６２は基部１６０上に設けられ、押し部材１５５と対応する。
【００４１】
次に、クリック信号感知装置１６２は接触式感知装置である。ユーザーは載置体１３０に対して下向きの外力を加え、載置体１３０に位置決め部材１５１に対して第一垂直変位を行わせ、弾性部材１６１を押し込む。載置体１３０が第一垂直変位を行うことに対応して、同時に押し部材１５５は位置決め部材１５１に対して、第二垂直変位を行い、クリック信号感知装置１６２と接触させる。押し部材１５５はクリック信号感知装置１６２と接触し、触発させ、クリック制御信号を発生させる。回路モジュール１６４は基部１６０上に設けられ、クリック信号感知装置１６２が発生させたクリック制御信号は回路モジュール１６４に伝えられ、処理された後、再度接続インターフェース１６３へ伝えられる。理解できることとして、第１実施形態では、第一垂直変位の大きさは第二垂直変位の大きさとは異なり、例えば、第二垂直変位は第一垂直変位より小さいが、本考案はこれに限定されない。
【００４２】
クリック信号感知装置１６２は非接触式感知装置であり、このような状況下で、押し部材１５５は載置体１３０に対応して第一垂直変位を行い、同期して第二垂直変位を行い、非接触式クリック信号感知装置１６２を干渉し、回路モジュール１６４に伝えられ、処理された後、再度接続インターフェース１６３へ伝えられるクリック制御信号を発生させる（上述の記述は選択できる）。
【００４３】
次は、本考案の制御装置の第２実施形態について説明する。
【００４４】
（第２実施形態）
図３は本考案の第２実施形態に係る制御装置の部分モジュールを示す傾斜分解概略図である。第１実施形態と異なるところは、載置体２３０は載置座２３３とそれぞれ載置座２３３の端に穿設されるセット式の把持部２３４を含む点であり、把持部２３４はそれぞれ位置決め構造の連動部材の突合せ接続部２５４と結合させられる。
【００４５】
次は、本考案の制御装置の第３実施形態について説明する。
【００４６】
（第３実施形態）
図４は本考案の第３実施形態に係る制御装置を示す斜視分解概略図である。図５は本考案の第３実施形態に係る部分モジュールを示す傾斜分解概略図である。図４と図５を同時に参照すると、制御装置３００は載置体３３０、回路モジュール３７０、回路モジュール３６４、カバー３２０、ケース３１０と基部３６０を含む。第一実施形態では、基部３６０とケース３１０は制御空間３１５を形成し、ここでは、制御空間３１５は制御装置３００の大部分の部材を収納させ、例えば、載置体３３０、回路モジュール３６４、カバー３２０と複数の制御部材３６５がある。
【００４７】
くり抜き部３１１とくり抜き溝３１２はケース３１０に設けられ、それぞれその下方の制御部材３６５を露出させ、載置体３３０のカバー３２０に穿設される。次に、パッド３０１と飾り３０２はケース３１０上に設けられ、ここでは、パッド３０１はフレキシブル性や弾性材料によって製作され、ユーザーの手を置かせるために提供され、くり抜き部３１１に対応する飾り３０２の場所には、穿槽が設けられ、下方の制御部材３６５は露出させられる。
【００４８】
次に、制御装置３３０の大部分の部材は制御空間３１５中に収納され、基部３６０上に固定設置される。第３実施形態では、回路モジュール３６４は基部３６０上に固定設置される回路基板３６６を含み、かつ、複数個の制御スイッチ３６７と、回路基板３６６上に設けられる制御部材３６５と、それぞれ上方の制御部材３６５に対応する制御スイッチ３６７を含む。制御部材３６５はキー、ローラー、３Ｄローラー、ロールボールやその他の手によって押され、操作を行う部材であり、これはユーザーに押され、ロールされた後、回路モジュール３６４の制御スイッチ３６７を触発させ、カーソルを操作する機能であればよく、これによって本考案の請求の範囲は限定されず、その他飾りや同じ効果で構造変化したものは、どれも本考案の請求の範囲に含まれる。
【００４９】
回路モジュール３６４はさらに回路基板３６６上の一側に設けられる接続インターフェース３６３を含み、ケース３１０の側面にはくり抜き溝（図示せず）があり、接続インターフェース３６３が穿設されるように提供される。説明すべきは、第３実施形態の回路モジュール３６４は若干個別で独立な回路基板であり、一つの回路基板に限定されない。以下説明されるその他回路モジュールもまた上述の回路モジュール全体か個別で独立である。個別で独立な回路基板を設計する時、導線（や伝送線）と接続インターフェースによって、適切に互いに或いは、外界電子装置と信号接続され、つまり、それぞれ独立して伝送と信号受取りを行う。
【００５０】
載置体３３０は操作空間３１５中に収納され、その位置は回路モジュール３６４の前側の位置であり、ケース３１０のくり抜き溝３１２の位置と対応する。載置体３３０は線状の載置座３３３とそれぞれ載置座３３３の両端に固定される把持部３３４を含む。位置決め構造３５０は載置体３３０と回路モジュール３６４の間に設けられる位置決め部材３５１を含み、位置決め部材３５１の両端はそれぞれシフト座３５７と連動部材３５３と穿設され、ここでは、位置決め部材３５１はシフト座３５７の軸穴３５８を貫き、弾性部材（図示せず）は連動部材３５３の軸穴３５９と当接する。位置決め部材３５１は位置決め構造３５０の固定部材３５６によって直接基部３６０上に固定され、或いは、その他の固定部材（図示せず）によって基部３６０上に固定されるが、本考案では位置決め軸の固定方法を限定せず、実施形態は説明のためのみに用いられる。
【００５１】
シフト座３５７は位置決め部材３５１上でスライドし、シフト座３５７が位置決め部材３５１の長い軸方向の外力を受ける時、シフト座３５７は連動部材３５３と接近し、位置決め部材３５１上の弾性部材を押し込む。さらに、押し込められた弾性部材の弾性力を利用し、シフト座３５７は力を受ける前の位置に戻される。また、シフト座３５７内には磁石（図示せず）が設けられ、その近隣には回路基板３６６上の磁気式感知装置３６９が設けられ、例えば、ホールＩＣ（Ｈａｌｌ  ＩＣ）の感知装置や磁気センサー（ＭＲ  ｓｅｎｓｏｒ）を含む。シフト座３５７が連動部材３５３と接近する、或いは、離れる時、磁石は磁気式感知装置３６９の磁場に変化を発生させ、これにより、磁気式感知装置３６９は磁場の変化を検知する。磁場変化や磁場の大きさが一定のあらかじめセットされた値に達する時、磁気式感知装置３６９は位置戻し制御信号を発生させ、回路モジュール３６４に与え、処理させ、さらに接続インターフェース３６３によって出力させ、外界の電子装置のカーソルの位置を戻すことを制御させる。
【００５２】
さらに、連動部材３５３は押し部材３５５と突合せ接続部３５４を含み、ここでは、押し部材３５５と突合せ接続部３５４は載置体３３０に相対する位置に設けられる。突合せ接続部３５４と載置体３３０の把持部３３４は接し、よって、載置体３３０は連動部材３５３と当接し、押し部材３５５の下方には制御スイッチ３６１が設けられ、ここでは、制御スイッチ３６１は押し部材３５５と当接し、載置体３３０を懸架状態にさせる。連動部材３５３は位置決め部材３５１と相対して回転し、載置体３３０が下向きの外力によって第一垂直変位を行う時、連動部材３５３も連動して回転させられ、押し部材３５５は第二垂直変位を行い、制御スイッチ３６１を押し込み、触発信号を発生させ、この状況下で、第一垂直変位は第二垂直変位とほぼ同じとなる。下向きの外力が消えた後、押し部材３５５は制御スイッチ３６１と接触するだけの位置に戻る。
【００５３】
また、中空穴を有するカバー３２０は載置体３３０の載置座３３３上に穿設され、カバー３２０の長軸上の長さは載置座３３３の長さより短いため、カバー３２０は載置座３３３上でスライドやロールできる。載置体３３０の載置座３３３の断面は平面状、扇形状、円形状、楕円形状か、その他カバー３２０をロール、スライドさせるのに適した形状デザインである。載置座３３３はポリオキシメチレン（Ｐｏｌｙｏｘｙｍｅｔｈｙｌｅｎｅ，ＰＯＭ）、ポリテトラフルオロエチレン（Ｐｏｌｙｔｅｔｒａｆｌｕｏｒｏｅｔｈｙｌｅｎｅ，ＰＴＦＥ，テフロンとも呼ばれる）、超高分子量ポリエチレン（Ｕｌｔｒａｈｉｇｈ  ｍｏｌｅｃｕｌａｒ  ｗｅｉｇｈｔ  ｐｏｌｙｅｔｈｙｌｅｎｅ，ＵＨＭＷＰＥ）やその他自己潤滑性の材料で製作されてなる。選択できることとして、載置体３３０の載置座３３３の材料はその他の、例えば、鉄や、ごく少量の分割線を有する、さらには分割線を含まないプラスチック材料であり、カバー３２０をその上でロールやスライドさせることができればよい。載置体３３０の載置座３３３はカバー３２０を覆う透光領域やくり抜き領域３３２を含み、透光領域やくり抜き領域３３２は回路モジュール３７０の検知モジュール３４０に対応する。載置座３３３の材料は不透光でもよく、このようにくり抜き領域３３２を不透光の本体上に製作し、或いは、くり抜き領域３３２を別の透光な蓋で覆う。載置座３３３も透光部分と不透光部分を組み合わせることができ、このようにして、透光部分は検知モジュール３４０に対応する透光領域を提供する。載置座３３３を完全に透光な材料によって製作することもでき、このようにして本体全体は検知モジュール３４０に対応する透光領域を提供する。
【００５４】
載置体３３０は載置座３３３中や下方の収納空間３３１を定義する。次に、回路モジュール３７０は収納空間３３１中に設けられ、少なくとも互いに信号接続される検知モジュール３４０とマイクロプロセッサー３７１を含む。検知モジュール３４０がカバー３２０のロールやスライドによってロール制御信号やスライド制御信号を発生させる時、さらにロール制御信号やスライド制御信号をマイクロプロセッサー３７１に伝送させ、処理させる。
【００５５】
カバー３２０は適切な材料を利用して形成され、必要とする弾性や撓性を有し、例えば、網状の編んだ布、不織布、プラスチック、ゴムや皮などである。次に、カバー３２０の外側面には若干の摩擦構造３２２が形成され、ユーザーがカバー３２０をロールやスライドさせるために提供される。例を挙げて説明すれば、複数の摩擦係数はカバー３２０の長軸方向やある角度で傾斜して外側面上に設けられるカバー３２０の突起構造より大きく、且つ、複数の摩擦構造はほぼ外側面と同じである。本考案のカバー上の摩擦構造は、非直線でもよいが、これに限定されず、複数個の直線セクションや扇形セクションを組み合わせたのこぎりや波や螺旋、或いは、複数個の直線セクションを互いに１８０度の角度ではない方法で組み合わせた線状構造などである。選択できることとして、前述の線状以外に、摩擦構造の形状はその他の規則形状を含み、例えば、線状の円形、楕円形、四角形、正多角形などに並べることができ、複数の摩擦構造はほぼ平均的にカバーの外側面上に分布され、例えば、外側面上に同じかほぼ同じ部分密度にさせる。
【００５６】
カバー３２０の内側面本体は複数の凹、凸点や網点を有するように形成され、銀粉、銀箔を塗布し、これは検知モジュール３４０が明確にカバー３２０のロール、スライドを識別、検知でき、同時に全体の敏感度と解析度を高め、カーソルの正確な位置決め、制御性がよいものであり、前述の効果を達成できる形式のものはどれも本考案がカバーするものであり、このような簡易な飾りや他の効果の同じ構造変化はどれも本考案の請求範囲内に含まれる。検知モジュール３４０はユーザーがカバー３２０を押すことによる前後ロール、左右スライドの動作を検知し、その検知方法は発行部材（図示せず）が光線をカバー３２０の内側面上に投射させることによる。カバー３２０がロールやスライドする時、光線は異なる干渉現象を発生させ、同時に検知モジュール３４０を通して、カバー３２０の色、凹、凸点や、平滑度の運動を維持し結像させ、さらに、マイクロプロセッサー３７１によって、Ｘ軸、Ｙ軸移動距離と軌跡の計算が行われる。上述の計算の結果を得た後、伝送線（図示せず）を利用して、回路モジュール３６４に伝送させた後、さらに接続インターフェース３６３を通して、外部コンピュータと接続し、同期してコンピュータディスプレイ上のカーソルのＸ軸、Ｙ軸方向の変位を制御する。しかしながら、検知モジュール３４０がどのように投射光線を発生させ、結像を屈折させ、Ｘ軸、Ｙ軸移動距離と軌跡を計算するかなどは現用の技術であり、その細部構成は本考案の要点ではないので、本考案の請求範囲保護に影響がない下で、その無駄な記述を省く。次に、計算結果を伝送する方法は有線接続や、無線伝送の方式であり、接続インターフェース３６３はユニバーサル・シリアル・バス（ＵＳＢ）、ＰＳ２や、その他の形式の有線接続インターフェースであり、或いは、赤外線、ブルートゥース（Ｂｌｕｅｔｏｏｔｈ）（登録商標）、周波数（ＲＦ）や、その他形式の無線接続インターフェースでもよい。
【００５７】
次は、本考案の制御装置の第４実施形態について説明する。
【００５８】
（第４実施形態）
図６は本考案の第四実施形態に係る制御装置の載置体とカバーを示す側面概略図である。この第四実施形態では載置体４３０の収納空間中には複数個の検知モジュール４４０が分布され、カバー４２０の内側面上には複数個の感知構造４２３が分布され、感知構造４２３は内側面を覆い、載置体４３０上のカバー４２０のスライドとロールを妨げない。載置体４３０上のカバー４２０がスライドとロールする時、検知モジュール４４０と感知構造４２３の交互作用力は相対して変化し、検知モジュール４４０は平面移動制御信号やロール制御信号を発生させるという目的を達成させる。説明すべきは、第四実施形態の他の部分は前述のその他実施形態の部材やモジュールを利用できるので、ここでは記述を省く。
【００５９】
次は、本考案の制御装置の第５実施形態について説明する。
【００６０】
（第５実施形態）
図７は本考案の第五実施形態に係る制御装置を示す斜視分解概略図である。図８は本考案の第五実施形態に係る制御装置の部分モジュールを示す傾斜分解概略図である。図８及び図７によれば、制御装置５００のケース５１０、カバー５２０、載置体５３０と基部５６０と第１実施形態は同じであるため、ここでは記述を省く。この第五実施形態の位置決め構造５５０は位置決め部材５５１と連動部材５５３を含み、位置決め部材５５１は載置体５３０と垂直であると共にそれぞれ載置体５３０の端に設けられる二つの位置決め棒５５５を含み、連動部材５５３はどちらか一つの位置決め棒５５５のどちらかに固定される延長による結合部５５２を含み、ここでは、延長による結合部は載置体５３０の該端に固定される。次に、位置決め棒５５５は基部５６０上の位置決め部材５５６に設けられる。
【００６１】
上述に基づけば、本考案の制御装置はコンピュータ、ノート型コンピュータ、携帯電話やその他外部電子製品上に設けられ、外部コンピュータのインターフェースの接続ポートに差し込まれた後、ユーザーが手首をパッド上に置いた時、指によって押し、載置体の第一面上のカバーを前後にロール、左右にスライドするという動作を制御し、回路モジュールの検知モジュール５４０は載置体の第一面や第二面や収納空間によって、カバーに対してＸ軸、Ｙ軸の移動距離と軌跡の計算を行わせ続け、コンピュータディスプレイ上のカーソルの同期変位を制御し、これによりユーザーが制御時に同一姿勢を維持でき、人体工学に符合した設計となる。また、載置体はカバーが制御空間で変位することを支援し、同時にカバーと載置体表面の間でのスライドにより発生する摩擦力を減少させ、カバー使用時の安全性となめらかさを高める。
【００６２】
次は、本考案の第６実施形態について説明する。
【００６３】
（第６実施形態）
次に、上述の実施形態の制御装置はさらに制御モジュールを配置することができ、この制御モジュールは周辺操作機能装置であり、図９は本考案の第六実施形態に係る概略図である。制御装置６００、３Ｄローラー６８７、制御パッド６８８と複数個の力学的キーを含む制御モジュール６８５全体は同一のケース中にあり、制御装置６００はマウスの機能を請け負い、文字入力などの制御モジュール６８５と合わせられ、制御モジュール６８５は制御装置６００と信号接続され、制御モジュール６８５の接続インターフェース（図示せず）によって、信号は外界の電子装置へと出力される。
【００６４】
次は、本考案の制御装置の第７実施形態について説明する。
【００６５】
（第７実施形態）
図１０は本考案の第七実施形態に係る概略図であり、ここでは、フィード式スキャナー８８５は制御装置８００の基部下に設けられ、使用時に直接紙をフィードし、この時、スキャンモジュールは制御装置８００中に設けられ、制御装置の機能を増加させる。
【００６６】
次は、本考案の制御装置の第８実施形態について説明する。
【００６７】
（第８実施形態）
制御モジュールと制御装置全体をケース上に配置する方法以外に、周辺操作機能装置の制御モジュールは制御装置から取り外された状態下で使用することができる。図１１は本考案の第八実施形態に係る概略図である。制御装置７００とハンドヘルドスキャナー７８５は互いに信号接続され、例えば、有線や無線の方法である。制御装置７００を未使用の時、把持部材７３５によって、ハンドヘルドスキャナー７８５は制御装置７００の一側に固定される。ユーザーがハンドヘルドスキャナー７８５を使用しようとする時、ハンドヘルドスキャナー７８５は制御装置７００から取り外して使用できる。例を挙げるが、これに限定されず、例えば、フィード式スキャナー、投影モジュールやカメラモジュールや上述の部分や全部を組み合わせたものはどれも第八実施形態の方法で利用でき、この機能を増加させる。
【００６８】
次は、本考案の制御装置の第９実施形態について説明する。
【００６９】
（第９実施形態）
図１２は本考案の第九実施形態の応用環境を示す斜視概略図である。例を挙げて説明すれば、本考案の制御装置２００は固定式照会装置６に応用され、例えば、スーパーマーケットで立っているユーザー６３に検索や架空店舗を操作させるために提供される。固定式照会装置６は、一般の表示装置６１とキー装置６２のみを含む。本考案の制御装置２００は体積が小さいため、固定式照会装置６上の限られたプラットフォーム上にも設けることができ、ユーザー６３は一般のマウスのように操作できる。したがって、本考案の制御装置２００はユーザー６３に固定式照会装置６の操作を便利にさせる。
【００７０】
次は、本考案の制御装置の第１０実施形態について説明する。
【００７１】
（第１０実施形態）
図１３は本考案の第十実施形態の応用環境を示す斜視概略図である。本考案の制御装置４００は一般移動式ステージ７に応用され、例えば、医療ユニットの移動作業台がある。移動の利便性を考えると、一般移動式ステージ７は電子装置７１を置くための限られたプラットフォーム空間しか提供できず、例えば、立っている作業者７３が移動式ステージ７上で一般のマウスを使用するには、プラットフォーム面積は十分ではないが、作業者７３は一般のマウスを操作するように本考案の制御装置４００を使用でき、移動制御装置４００に位置を必要とせず、操作の利便性を増加させる。上述に基づけば、本考案の制御装置は限りある空間のプラットフォーム環境への応用に適しており、本考案の制御装置は特に立っているユーザーの制御を便利にさせ、ユーザーが電子装置を制御する弾性を増加させる。
【００７２】
以上、本考案はこのような実施形態に限定されるものではなく、考案の趣旨を逸脱しない範囲において、種々の形態で実施することができる。
【符号の説明】
【００７３】
６    固定式照会装置、
７    移動式ステージ、
６１  表示装置、
６２  キー装置、
６３  ユーザー、
７１  電子装置、
７３  作業者、
１００、２００、３００、４００、５００、６００、７００、８００、２００、４００    制御装置、
１０１、３０１                          パッド、
１０２、３０２                          飾り、
１１０、３１０、５１０                  ケース、
１１１、１１２、３１１                  くり抜き部、
３１２                                  くり抜き溝、
１１３                                  凹部、
１１４                                  収納溝、
３１５                                  制御空間、
１２０、３２０、４２０、５２０          カバー、
１２１                                  突合せ接続部、
３２２                                  摩擦構造、
４２３                                  感知構造、
１３０、２３０、３３０、４３０、５３０  載置体、
１３１、３３１                          収納空間、
１３２、３３２                          くり抜き領域、
１３３、２３３、３３３                  載置座、
１３４、２３４、３３４                  把持部、
７３５                                  把持部材、
１４０、３４０、４４０、５４０          検知モジュール、
１５０、３５０、５５０                  位置決め構造、
１５１、３５１、５５１                  位置決め部材、
１５２、２５２、５５２                  延長による結合部、
１５３、２５３、３５３、５５３          連動部材、
１５４、２５４、３５４                  突合せ接続部、
１５５、３５５                          押し部材、
５５５                                  位置決め棒、
１５６、３５６、５５６                  位置決め部材、
３５７                                  シフト座、
３５８、３５９                          軸穴、
１６０、３６０、５６０                  基部、
１６１                                  弾性部材、
３６１                                  制御スイッチ、
１６２                                  感知装置、
１６３、３６３                          接続インターフェース、
１６４、３６４                          回路モジュール、
３６５                                  制御部材、
６８５                                  制御モジュール、
７８５                                  ハンドヘルドスキャナー、
８８５                                  フィード式スキャナー、
６８７                                  ３Ｄローラー、
６８８                                  制御パッド、
３６６                                  回路基板、
３６７                                  制御スイッチ、
３６９                                  磁気式感知装置、
１７０、３７０                          回路モジュール、
１７１、３７１                          マイクロプロセッサー。
【図１】
0003174253.tif 000003
【図２】
0003174253.tif 000004
【図３】
0003174253.tif 000005
【図４】
0003174253.tif 000006
【図５】
0003174253.tif 000007
【図６】
0003174253.tif 000008
【図７】
0003174253.tif 000009
【図８】
0003174253.tif 000010
【図９】
0003174253.tif 000011
【図１０】
0003174253.tif 000012
【図１１】
0003174253.tif 000013
【図１２】
0003174253.tif 000014
【図１３】
0003174253.tif 000015